(57)【要約】      （修正有）【課題】容易に被綴じ材を綴じ込むことが可能な綴じ具を提供する。【解決手段】綴じ具は、背表紙部２１を間に挟んで表側表紙部２２と裏側表紙部２３が連設され、表側表紙部と裏側表紙部が背表紙部に対して回動可能な表紙部材と、背部３１を間に挟んで表部３２と裏部３３とを連設させ、表部及び裏部が背部に対して回動可能で、被綴じ材である台紙７０を綴じ可能な綴じ部材と、を備える。綴じ部材は、背部３１が背表紙部２１の内側に固着され、裏部３３には、台紙に形成された綴じ孔７０ａに挿通可能な係合部材４０が配設され、表部３２には、係合部材と係合可能な被係合部材５０が配設され、係合部材と被係合部材が係合されて、台紙が綴じ部材に綴じられる。【選択図】図３
0003200981.tif 000002
【実用新案登録請求の範囲】
【請求項１】
背表紙部を間に挟んで表側表紙部と裏側表紙部を連設させて形成され、前記表側表紙部と前記裏側表紙部が、前記背表紙部に対して回動可能とされる表紙部材と、
背部を間に挟んで表部と裏部とを連設させて形成され、前記表部及び前記裏部が、前記背部に対して回動可能とされ、被綴じ材を綴じ可能な綴じ部材と、
を備え、それぞれ、綴じた状態においてコ字状となり、展開した状態において平坦となる綴じ具であって、
前記綴じ部材は、前記表部及び前記裏部の回動軸線が、前記表側表紙部と前記裏側表紙部の回動軸線と略平行となるように配置され、前記背部において前記背表紙部の内側に固着され、
前記表部と前記裏部のいずれか一方には、前記被綴じ材に形成された綴じ孔に挿通可能な係合部材が配設され、
前記表部と前記裏部の他方には、前記係合部材と係合可能な被係合部材が配設され、
前記係合部材と前記被係合部材が係合されて、前記被綴じ材が前記綴じ部材に綴じられることを特徴とする綴じ具。
【請求項２】
展開した状態における前記表部及び前記裏部の前記表部から前記裏部に向かう方向を横方向としたときの前記表部及び前記裏部の横幅は、前記係合部材又は前記被係合部材の横幅のいずれかの大きい方の三倍を超えない横幅に形成されていることを特徴とする請求項１記載の綴じ具。
【請求項３】
前記係合部材が、棒状に形成され、綴じた状態において、前記被係合部材側に突出し自由端側に外表面から中心線に向かう凹部を有する綴じ込みポールであり、
前記被係合部材が、前記凹部と係合可能なバネを有する留め金であることを特徴とする請求項１又は２記載の綴じ具。
【考案の詳細な説明】
【技術分野】
【０００１】
本考案は、被綴じ材を閉じる綴じ具に関するものである。特に、冠婚葬祭における写真を貼付した台紙を綴じることができるアルバムに好適な考案である。
【背景技術】
【０００２】
従来、被綴じ材としての台紙の加除変更を可能にしたアルバムは、表側表紙部と、裏側表紙部と、表側表紙部と裏側表紙部とを連結する背表紙部と、雄ねじと雄ねじより大径に形成されたフランジとを有し裏側表紙部に配設される雄ねじ部材と、円柱状に形成され雄ねじと螺合可能な雌ねじと有する軸と軸の雌ねじと反対側の端部に軸より大径に形成されたフランジとを有し表側表紙部に配設される雌ねじ部材と、で構成されていた。
【０００３】
そして、台紙の加除変更をするときには、アルバムの台紙を挟み込む綴じ込み部に形成された綴り孔と、台紙に形成された綴り孔と、を連通させて、雌ねじ部材の軸を挿通させ、雄ねじ部材の雄ねじと雌ねじ部材の雌ねじとを螺合させて、台紙を綴じることとされていた。
【考案の概要】
【考案が解決しようとする課題】
【０００４】
しかし、上記のアルバムでは、雄ねじ部材を何度も回転させないと台紙を綴じることができないうえ、表側表紙部と裏側表紙部を動かさなければならないので、容易に台紙を綴じるようにすることが望まれていた。
【０００５】
本考案は、上記事情に鑑み、容易に被綴じ材を綴じ込むことが可能な綴じ具を提供することを目的とする。
【課題を解決するための手段】
【０００６】
請求項１記載の考案では、背表紙部を間に挟んで表側表紙部と裏側表紙部を連設させて形成され、表側表紙部と裏側表紙部が、背表紙部に対して回動可能とされる表紙部材と、背部を間に挟んで表部と裏部とを連設させて形成され、表部及び裏部が、背部に対して回動可能とされ、被綴じ材を綴じ可能な綴じ部材と、を備え、それぞれ、綴じた状態においてコ字状となり、展開した状態において平坦となる綴じ具であって、綴じ部材は、表部及び裏部の回動軸線が、表側表紙部と裏側表紙部の回動軸線と略平行となるように配置され、背部において背表紙部の内側に固着され、表部と裏部のいずれか一方には、被綴じ材に形成された綴じ孔に挿通可能な係合部材が配設され、表部と裏部の他方には、係合部材と係合可能な被係合部材が配設され、係合部材と被係合部材が係合されて、被綴じ材が綴じ部材に綴じられることを特徴とする。
【０００７】
これによれば、表部及び裏部が、背部に対して回動可能とされ、さらに、表部及び裏部が、対応する位置にある表側表紙部及び裏側表紙部に対して、接近離隔可能となる。よって、比較的大きな部材となる表側表紙部及び裏側表紙部を、被綴じ材が綴じ部材に綴じられるときの、綴じ動作への関与を低減させることが可能となるので、容易に被綴じ材を綴じ込むことができる。
【０００８】
また、展開した状態における表部及び裏部の表部から裏部に向かう方向を横方向としたときの表部及び裏部の横幅は、係合部材又は被係合部材の横幅のいずれかの大きい方の三倍を超えない横幅に形成すれば、綴じ部材の表部及び裏部の体積が小さく形成されるので、被綴じ材を綴じ部材に綴じるときの、綴じ動作をし易くすることに寄与する。
【０００９】
さらに、係合部材を、棒状に形成され、綴じた状態において、被係合部材側に突出し自由端側に外表面から中心線に向かう凹部を有する綴じ込みポールとし、被係合部材を、凹部と係合可能なバネを有する留め金とすれば、いわゆる、スナップホック部材で、押し込み、引っ張り動作により、係合部材と被係合部材との係合、係合解除が可能となるので、綴じ動作をし易くすることができる。
【図面の簡単な説明】
【００１０】
【図１】本考案の一実施形態の綴じ具を展開した状態の斜視図である。
【図２】同実施形態の綴じ具を閉じた状態の斜視図である。
【図３】図２におけるＩＩＩ−ＩＩＩ線矢視断面図断面図である。
【図４】同実施形態の表紙部材と綴じ部材の取り付け状態を説明する断面図である。
【図５】同実施形態の留め金の断面図である。
【図６】同実施形態の綴じ込みポールの部分断面図である。
【考案を実施するための形態】
【００１１】
本考案の綴じ具の一実施形態について図面に基づいて説明する。以下の説明において、図１に記載される矢印は、表紙部材２０、綴じ部材３０を展開した状態における、Ｘを横方向、Ｙを縦方向とする。また、図２に示す綴じ具を折り畳んだ状態において、外側となる側を外とし、内側となる側を内とする。
【００１２】
本実施形態では、綴じ具としてのアルバムに適用する場合を説明する。綴じ具１０は、概略的には、図１に示すように、表紙部材２０と、被綴じ材としての台紙７０を綴じ可能な綴じ部材３０と、を備えている。複数の被綴じ材を綴じ可能とされている。
【００１３】
表紙部材２０は、図１〜４に示すように、背表紙部２１を間に挟んで、ヒンジ部２５ａ、２５ｂを介して表側表紙部２２と裏側表紙部２３を連設させて形成されている。
【００１４】
本実施形態では、短冊状の厚紙２１ａと、矩形状の厚紙２２ａ、２３ａに化粧シート２４が貼着されて形成されている。化粧シート２４は、紙又は合成樹脂で形成され、表紙部材２０を構成する厚紙２１ａ、２２ａ、２３ａの外側全面及びの内側の一部に貼着される第一化粧シート２４ａと、厚紙２１ａと、厚紙２２ａ、２３ａの厚紙２１ａ側の端部に貼着される第二化粧シート２４ｂと、で構成されている。
【００１５】
背表紙部２１と表側表紙部２２、背表紙部２１と裏側表紙部２３、の境界部分は、第一化粧シート２４ａと第二化粧シート２４ｂとが重ね合わされて貼着され、背表紙部２１に対して表側表紙部２２及び裏側表紙部２３が回動可能とするヒンジ部２５ａ、２５ｂとされている。
【００１６】
綴じ部材３０は、図１〜４に示すように、背部３１を間に挟んで、ヒンジ部３５ａ、３５ｂを介して表部３２と裏部３３を連設させて形成されている。
【００１７】
本実施形態では、短冊状の厚紙３１ａ、３２ａ、３３ａに、一枚の化粧シート３４が貼着されて形成されている。化粧シート３４は、化粧シート２４と同じ材料で形成され、綴じ部材３０を構成する厚紙３１ａの内側全面、厚紙３１ａの外側の外周縁部及び厚紙３２ａ、３３ａの内外側全面に貼着されている。
【００１８】
背部３１と表部３２、背部３１と裏部３３、の境界部分は、一枚の化粧シート３４が重ね合わせるように貼着されて形成され、背部３１に対して表部３２及び裏部３３が回動可能とするヒンジ部３５ａ、３５ｂとされている。
【００１９】
表部３２及び裏部３３の横幅Ｌ１は、後述する被係合部材５０の横幅Ｌ２の略二倍に形成されている。
【００２０】
綴じ部材３０は、図２に示すように、表部３２及び裏部３３の回動軸線ＯＡが、表側表紙部２２と裏側表紙部２３の回動軸線ＯＢと略平行となるとともに、背部３１において背表紙部２１の内側に重ね合わせて配置され、縦方向に沿って二か所でリベット３６により固着されている。
【００２１】
裏部３３には、被綴じ材としての台紙７０に形成された綴じ孔７０ａに挿通可能な係合部材４０が配設され、表部３２には、係合部材４０と係合可能な被係合部材５０が配設されている。係合部材４０と被係合部材５０が係合されて、台紙７０が綴じ部材３０に綴じられる。
【００２２】
本実施形態では、係合部材４０は、自由端側に凹部を有する綴じ込みポール４１とされ、被係合部材５０が、凹部と係止係止可能なバネ５５を有する留め金５１とされている。
【００２３】
綴じ込みポール４１は、図３、４、６に示すように、棒状に形成された棒部材４２と、円環形状の止め部材４５と、で構成され、縦方向に沿って二か所に配設されている。
【００２４】
棒部材４２は、棒状に形成された棒部４３と、棒部４３より大径に形成されたフランジ部４４と、を有している。棒部４３は、先端部が、先端部分が切り取られた略球状に形成された頭部４３ａと、頭部４３ａに連設され、棒部４３の外表面から中心線ＯＴ方向に向かう凹部としての有底溝４３ｂを有している。
【００２５】
裏部３３の厚さ方向に沿って貫通するように形成された挿通孔３３ｂに、外側から棒部４３が挿入され、棒部４３の自由端側から止め部材４５を棒部４３の外側に嵌め込み、フランジ部４４と、止め部材４５で挟持することで、係合部材４０としての綴じ込みポール４１が、裏部３３に固着されている。
【００２６】
留め金５１は、図３、４、５に示すように、内カバー部材５２と外カバー部材５６とで構成され、縦方向に沿って二か所に配設されている。
【００２７】
内カバー部材５２は、円筒状に形成された円筒部５３と、円筒部５３から径方向外側に外形形状が円形となるように延設されるフランジ部５４と、を有している。フランジ部５４の外周縁部は、図５に示すように、表部３２の外側に向かって円筒状に延びる押え部５４ａを有している。
【００２８】
円筒部５３の自由端側の端部には、内側に段差が設けられて突出する係合部５３ａが設けられている。円筒部５３の基端側には、切り欠き５３ｂが設けられ、金属製の線状の部材で略Ｕ字状に形成された弾性部材としてのバネ５５を、円筒部５３内に配置可能とされている。バネ５５は、直線部分が図３、５の手前から奥に向かう方向に沿って配置されるとともに、曲がり部分を図３、５の紙面の奥となるように配置されている。
【００２９】
外カバー部材５６は、円盤状に形成され外周縁部から表部３２の内側に向かって円筒状に延びる押え部５７ａを有する円盤部５７と、円盤部５７の内面から表部３２の内側に向かって延びる内筒部５８と、を有している。内筒部５８の自由端側の外周面には、径方向外側に突出する被係合部５８ａが形成され、円筒部５３の係合部５３ａと係合可能とされている。
【００３０】
表部３２の厚さ方向に沿って貫通するように形成された挿通孔３２ｂに、表部３２の内側から内カバー部材５２の円筒部５３が挿入され、表部３２の外側から外カバー部材５６が嵌め込まれ、内筒部５８の被係合部５８ａと円筒部５３の係合部５３ａとが係合されて、押え部５４ａと押え部５７ａとで、表部３２を挟持することで被係合部材５０としての留め金５１が、表部３２に固着されている。
【００３１】
綴じ具１０の使用態様について説明する。表紙部材２０、綴じ部材３０をともに、展開した状態で、綴じ込みポール４１の棒部４３に、複数の台紙７０の綴じ孔７０ａを、挿通させるとともに、綴じ孔７０ａを連通させるように、台紙７０を重ね合わせ、必要な枚数を重ね合わせたら、図４の状態から、表部３２の留め金５１を綴じ込みポール４１に押し込んで、綴じ込みポール４１の頭部４３ａを内カバー部材５２の円筒部５３に進入させると、バネ５５が頭部４３ａにより、押し拡げられ、有底溝４３ｂにバネ５５が進入して、図３に示すように、棒部４３を係止する。これにより、台紙７０が綴じ部材３０に綴じられる。
【００３２】
このとき、綴じ作業は、表部３２の回動により行われ、表紙部材２０の関与は低減されるので容易となる。
【００３３】
上記構成の綴じ具１０では、背表紙部２１を間に挟んで表側表紙部２２と裏側表紙部２３を連設させて形成され、表側表紙部２２と裏側表紙部２３が、背表紙部２１に対して回動可能とされる表紙部材２０と、背部３１を間に挟んで表部３２と裏部３３とを連設させて形成され、表部３２及び裏部３３が、背部３１に対して回動可能とされ、被綴じ材としての台紙７０を綴じ可能な綴じ部材３０と、を備え、それぞれ、綴じた状態においてコ字状となり、展開した状態において平坦となる綴じ具であって、綴じ部材３０は、表部３２及び裏部３３の回動軸線ＯＡが、表側表紙部２２と裏側表紙部２３の回動軸線ＯＢと略平行となるように配置され、背部３１において背表紙部２１の内側に固着され、裏部３３には、台紙７０に形成された綴じ孔７０ａに挿通可能な係合部材４０が配設され、表部３２には、係合部材４０と係合可能な被係合部材５０が配設され、係合部材４０と被係合部材５０が係合されて、台紙７０が綴じ部材３０に綴じられることを特徴とする。
【００３４】
これによれば、表部３２及び裏部３３が、背部３１に対して回動可能とされ、さらに、表部３２及び裏部３３が、対応する位置にある表側表紙部２２及び裏側表紙部２３に対して、接近離隔可能となる。よって、比較的大きな部材となる表側表紙部２２及び裏側表紙部２３を、台紙７０が綴じ部材３０に綴じられるときの、綴じ動作への関与を低減させることが可能となるので、容易に台紙７０を綴じ込むことができる。
【００３５】
また、展開した状態における表部３２及び裏部３３の表部３２から裏部３３に向かう方向を横方向としたときの表部３２及び裏部３３の横幅Ｌ１は、被係合部材５０の横幅の略二倍の横幅Ｌ２に形成しているので、綴じ部材３０の表部３２及び裏部３３の体積が小さく形成され、台紙７０を綴じ部材３０に綴じるときの、綴じ動作をし易くすることに寄与する。
【００３６】
さらに、係合部材４０を、棒状に形成され、綴じた状態において、被係合部材５０側に突出し自由端側に外表面から中心線ＯＴに向かう凹部としての有底溝４３ｂを有する綴じ込みポール４１とし、被係合部材５０を、有底溝４３ｂと係合可能なバネ５５を有する留め金５１としているので、いわゆる、スナップホック部材で、押し込み、引っ張り動作により、係合部材４０と被係合部材５０との係合、係合解除が可能となり、綴じ動作をし易くすることができる。
【００３７】
本考案の綴じ具は上記構成に限定されるものではない。即ち、本考案の要旨を逸脱しない限り各種の設計変更等が可能である。以下に、変形した態様を例示する。
【００３８】
例えば、表紙部材２０、綴じ部材３０は、合成樹脂、皮革等を用いることができる。
【００３９】
また、表部３２及び裏部３３の横幅Ｌ１は、必要な強度を確保できるのであれば、係合部材４０又は被係合部材５０の横幅Ｌ２のいずれかの大きい方の三倍を超えない横幅の範囲で、適宜変更することができる。
【００４０】
また、被綴じ材は、台紙７０に限らず、綴じ孔を有する合成樹脂製のファイル、クリアポケット等とすることができる。
【符号の説明】
【００４１】
１０  綴じ具
２０  表紙部材
２１  背表紙部
２２  表側表紙部
２３  裏側表紙部
３０  綴じ部材
３１  背部
３２  表部
３３  裏部
４０  係合部材
４１  綴じ込みポール
４３ｂ  有底溝
５０  被係合部材
５１  留め金
５５  バネ
Ｌ１  横幅
Ｌ２  横幅
ＯＡ  回動軸線
ＯＢ  回動軸線
ＯＴ  中心線
【図１】
0003200981.tif 000003
【図２】
0003200981.tif 000004
【図３】
0003200981.tif 000005
【図４】
0003200981.tif 000006
【図５】
0003200981.tif 000007
【図６】
0003200981.tif 000008